(57)【要約】      （修正有）【課題】表示板の強固な取り付けと交換とが容易な継手構造を提供する。【解決手段】表示板１０とこれを支持するための支持手段１２との間の継手構造に係る。継手構造は、表示板に設けられた穴２０と、継手部材２２とを含む。継手部材は、本体２４と、表示板の穴に通される弾性変形可能の差込部２６と、表示板に係止される係止部２８と、支持手段の一部を受け入れるための受入れ部とを備える。表示板に対する本体の当接と表示板に対する係止部の係止とは、表示板の穴に通された差込部の弾性復元力により維持される。【選択図】図１
2005172846.tif 000002
【特許請求の範囲】
【請求項１】
表裏面を有する表示板とこれを支持するための支持手段との間に適用される継手構造であって、
前記表示板に設けられた穴と、継手部材とを含み、
前記継手部材は、前記表示板の裏面に当接される本体と、該本体に連なる弾性変形可能の差込部であって前記表示板の穴に該表示板の裏面からその表面に向けて差し込まれ弾性変形をする差込部と、前記差込部に連なる係止部であって前記差込部が前記表示板の穴に差し込まれるときに前記表示板にその表面で係止する係止部と、前記本体に連なる受入れ部であって前記支持手段の一部を受け入れるための受入れ部とを備え、
前記表示板に対する前記本体の当接と前記表示板に対する前記係止部の係止とが、前記表示板に及ぼされる、前記表示板の穴に差し込まれたときの前記差込部の弾性復元力により維持される、継手構造。
【請求項２】
前記継手部材の受入れ部は前記支持手段としての１の支柱の頂部を受け入れ可能である下端開放の穴を有する、請求項１に記載の継手構造。
【請求項３】
前記継手部材の本体は前記受入れ部の上方に設けられたくびれ部を有し、前記本体は前記くびれ部に沿って折り曲げが可能である、請求項２に記載の継手構造。
【請求項４】
前記継手部材の受入れ部は上下２組の穴であって該２組の穴がそれぞれ前記支持手段としての２つの支柱の頂部の挿通を許す貫通穴と該貫通穴を貫通した前記支柱の頂部を受入れ可能である下端開放の穴とを有する、２組の穴を有する、請求項１に記載の継手構造。
【請求項５】
前記継手部材の受入れ部は前記支持手段としてのワイヤの挿通を許す２つの穴を有する、請求項１に記載の継手構造。
【請求項６】
前記継手部材の受入れ部は、前記支持手段としての１の支柱の頂部を受け入れ可能である下端開放の穴と、上下２組の穴であって該２組の穴がそれぞれ前記支持手段としての２つの支柱の頂部の挿通を許す貫通穴と該貫通穴を貫通した前記支柱の頂部を受入れ可能である下端開放の穴とからなる２組の穴と、前記支持手段としてのワイヤの挿通を許す２つの穴とを有する、請求項１に記載の継手構造。
【請求項７】
前記差込部は前記本体からこれと直交して伸びる上部分と、該上部分からこれと鋭角をなして斜め下方に伸び、さらに前記本体に設けられた穴を貫通する下部分とからなり、前記係止部は前記下部分に連なる爪からなる、請求項１〜６のいずれか１項に記載の継手構造。
【請求項８】
前記差込部は前記本体からこれと直交して伸びる上部分と、該上部分からこれと鋭角をなして斜め下方に伸び、さらに前記本体に設けられた穴を貫通する下部分とからなり、前記継手部材は、さらに、前記本体の穴の縁部から互いに他の一方に向けて伸び、前記下部分の下方位置に達する一対の止め部を含む、請求項１〜７のいずれか１項に記載の継手構造。
【発明の詳細な説明】
【技術分野】
【０００１】
本発明は、表示板とこれを支持するための支柱や吊持用ワイヤからなる支持手段との間に適用される継手構造に関する。
【背景技術】
【０００２】
動植物や物品の名前、その説明等を付した表示板が、各種の展示施設、公園、街路樹等に配置されることがある。
【０００３】
このような表示板は、支柱やワイヤのような支持手段により地上や空中に支持されるところ、従来、前記表示板と前記支持手段との接続に供される継手構造が用いられている。
【０００４】
このような継手構造の一つとして、上下に伸びる線状の本体と、該本体の上下両端部にそれぞれ取り付けられた２つの連結部とからなるものがある。
【特許文献１】特開２０００−３３８８８３号公報
【発明の開示】
【発明が解決しようとする課題】
【０００５】
この継手構造によれば、その上下の両連結部においてそれぞれ前記表示板及び前記支持手段を把持、挟持、吸着等することにより、前記継手構造を介して、前記表示板を前記支持手段で支持することができる。
【０００６】
しかし、前記表示板に対する把持、挟持、吸着等では前記継手構造に対する前記表示板の強固な取り付けが十分でなく、前記表示板が意図的に傾けられたりあるいはこれに対する接触や風の影響によって傾くことがある。また、前記表示板の吸着が例えば接着剤によるときは、他の表示板への交換が容易でない。
【０００７】
本発明の目的は、表示板の強固な取り付けと交換とが容易な継手構造を提供することにある。
【課題を解決するための手段】
【０００８】
本発明は、表示板とこれを支持するための支持手段との間の継手構造に係り、
前記表示板に設けられた穴と、継手部材とを含み、前記継手部材は、前記表示板の裏面に当接される本体と、該本体に連なる弾性変形可能の差込部であって前記表示板の穴に該表示板の裏面からその表面に向けて差し込まれ、弾性変形をする差込部と、前記差込部に連なる係止部であって前記差込部が前記表示板の穴に差し込まれるときに前記表示板にその表面で係止する係止部と、前記本体に連なる受入れ部であって前記支持手段の一部を受け入れるための受入れ部とを備え、前記表示板に対する前記本体の当接と前記表示板に対する前記係止部の係止とが、前記表示板に及ぼされる、前記表示板の穴に差し込まれたときの前記差込部の弾性復元力により維持される。
【０００９】
前記継手部材の受入れ部は、前記支持手段としての１の支柱の頂部を受け入れ可能である下端開放の穴と、上下２組の穴であって該２組の穴がそれぞれ前記支持手段としての２つの支柱の頂部の挿通を許す貫通穴と該貫通穴を貫通した前記支柱の頂部を受入れ可能である下端開放の穴とからなる２組の穴と、前記支持手段としてのワイヤの挿通を許す２つの穴との少なくとも１を有するものとすることができる。
【００１０】
前記支持手段としての１の支柱のための前記受入れ手段を有するときは、前記継手部材の本体がその受入れ部の上方に設けられたくびれ部を有し、前記本体は前記くびれ部に沿って折り曲げが可能であるものとすることができる。
【００１１】
前記差込部が前記本体からこれと直交して伸びる上部分と、該上部分からこれと鋭角をなして斜め下方に伸び、さらに前記本体に設けられた穴を貫通する下部分とからなるものとすることができる。このとき、前記係止部が前記下部分に連なる爪からなるものとすることができる。また、前記継手部材が、さらに、前記本体の穴の縁部から互いに他の一方に向けて伸び、前記下部分の下方位置に達する一対の止め部を含むものとすることができる。
【発明の効果】
【００１２】
本発明によれば、表示板に設けられた穴にその裏面から表面に向けて継手部材の差込部を差し込み、その本体を前記表示板の裏面に当接させかつ前記表示板の表面に係止部を係止させることにより、前記継手部材が前記表示板に取り付けられる。このとき、前記差込部は弾性変形状態にあり、前記表示板に対する前記継手部材の取付状態は前記差込部の前記表示板に対する弾性復元力により維持される。その結果、前記継手部材と前記表示板との間の強固な一体性が実現される。また、この一体性は、前記継手部材の差込部をさらに弾性変形させてこれを前記表示板の穴から抜き取ることにより容易に解除することができる。前記継手部材と前記表示板との間の強固な一体性の実現とその容易な解除とにより表示板の交換を容易に行うことができる。前記表示板のための支持手段に対する前記継手部材の取り付けは、その受入れ部への前記支持手段の一部の受け入れにより行うことができる。
【００１３】
前記支持手段が１の支柱の場合には、前記継手部材の本体をこれに設けられたくびれ部に沿って折り曲げることにより、前記表示板をこれが見やすいように前記支柱に傾斜状態で支持することができる。
【００１４】
前記継手部材の受入れ部は、前記表示板の支持手段の種類、すなわち前記１の支柱、２つの支柱又は吊持用ワイヤに応じて、これらの少なくとも１つを受け入れる穴を有するものとすることができる。
【００１５】
前記継手部材の差込部について、これを、前記本体から伸びる上部分と、該上部分と鋭角をなして斜め下方に伸び、さらに前記本体に設けられた穴を貫通する下部分とからなるものとするときは、前記本体に対して前記下部分をつまみ上げることにより、これを弾性変形させることができる。また、前記係止部を前記下部分に連なる爪からなるものとするときは、前記下部分の弾性変形により前記爪を前記表示板から離し、前記本体に対する前記係止部の係止状態を容易に解除することができる。さらに、前記本体の穴の縁部から互いに他の一方に向けて伸び、前記下部分の下方位置に達する一対の止め部を設けるときは、前記下部分を弾性変形させてこれを両止め部の下方に位置させることができ、これにより、前記差込部の前記表示板に対する弾性復元力をより大きいものとし、前記表示板に対する前記継手部材の取付状態をより強固に維持することができる。
【発明を実施するための最良の形態】
【００１６】
図１及び図２を参照すると、表示板１０とこれを支持するための支持手段１２とに本発明に係る継手構造が適用され、該継手構造の適用により、表示板１０が支持手段１２に支持されている。
【００１７】
表示板１０は図示の例では全体に矩形状を呈する。前記表示板は矩形以外の多角形、円形、楕円形等を呈するものであってもよい。表示板１０はプラスチック材料、金属材料、木材等からなる。表示板１０の表面１３には、動植物、風景、物品等の名前や説明の記載が直接に付され、あるいはこれらの記載が付されたプレート（図示せず）が取り付けられる。
【００１８】
表示板１０のための支持手段１２は、図示の例では、１の支柱１４からなる。この支柱１４は金属製の管部材や木製の棒部材からなり、本発明の継手構造を介して、表示板１０が支柱１４により地面や床面の上方位置に支持される。
【００１９】
表示板１０を支持するための他の例の支持手段１２を図６及び図７にそれぞれ示す。図６に示す支持手段１２は、表示板１０を地面や床面の上方位置に支持するのに適する２つの支柱１６からなる。両支柱１６は、例えば針金からなる。また、図７に示す支持手段１２は、表示板１０を木の枝や構造物から伸びあるいは該構造物に取り付けられた適当なアーム（図示せず）に吊持するのに適するワイヤ１８からなる。ワイヤ１８の両端（図示せず）は例えば捩り合わせにより相互に連結される。
【００２０】
本発明に係る前記継手構造は、表示板１０に設けられた穴２０（図１及び図４参照）と、継手部材２２とを含む。
【００２１】
図示の穴２０は矩形状を呈し、表示板１０の上部中央に設けられている。穴２０の形状及びこれが設けられる位置はそれぞれ任意であるが、継手部材２２への表示板１０の後記取り付け時における該表示板の非回転性をより確実にし、また表示板の表面１３上における前記記載の個所を確保するため、図示の例の態様が好ましい。
【００２２】
他方、継手部材２２は、表示板の裏面２３に当接される本体２４と、本体２４に連なる弾性変形可能の差込部２６と、差込部２６に連なる係止部２８と、本体２４に連なる受入れ部３０，３２，３４とを備える。継手部材２２は例えばプラスチック材料からなり、これを構成する本体２４、差込部２６、係止部２８及び受入れ部３０，３２，３４は一体に成形することができる。継手部材２２は、好ましくは、表示板１０の裏に隠れるように、その大きさが定められる。
【００２３】
継手部材の本体２２は全体に門形を呈する板状体からなる。板状の本体２２はその一方の面３６において表示板の裏面２３に当接可能である。なお、本体２２は、矩形以外の全体形状を有する板状体であってもよい。
【００２４】
本体２２は、これに設けられた穴３８を有する。穴３８は、図示の例では本体２２の上部にあって、後述する差込部２６の下部分４２の差し込みを許す。図示の穴３８は矩形状を呈するが、前記矩形以外の形状のものとすることができる。
【００２５】
継手部材の差込部２６は、表示板１０に対する継手部材２２の取り付けの際、表示板の穴２０にその裏面２３からその表面１３に向けて差し込まれる。
【００２６】
図示の差込部２６は、本体２２の一方の面３６から該本体と直交して伸びる上部分４０と、該上部分からこれと鋭角をなして斜め下方に伸び、さらに本体の穴３８を貫通する下部分４２とからなる。図示の例では、各部分４０，４２は板状を呈し、その幅寸法ａが表示板の穴２０の幅寸法ｂにほぼ等しいものに設定されている。このような寸法設定により、穴２０内における両部分４０，４２の幅方向移動が阻止される。なお、両部分の幅寸法ａは、本体の穴３８の幅寸法との関係においては、これよりも小さいものに設定されている。
【００２７】
両部分４０，４２が互いになす前記鋭角の大きさは、本体の一方の面３６が表示板の裏面２３に当接するまで両部分４０，４２がこれらの交差箇所から表示板の穴２０に差し込まれるとき、両部分４０，４２のなす角度の大きさが漸減するように両部分４０，４２の少なくとも一方（図示の例では下部分４２）が弾性変形するような大きさである。したがって、継手部材の本体２４が表示板１０に接するとき、弾性変形をした下部分４２が表示板１０に及ぼす弾性復元力により、両部分４０，４２がそれぞれ表示板の穴２０の上下両縁に接する。
【００２８】
また、このとき、係止部２８が表示板の表面１３に接する。図示の例では、係止部２８は下部分４２の下面に連なりかつ下部分４２の幅方向へ伸びる爪からなる。前記爪は、両部分４０，４２が表示板の穴４０に差し込まれるとき、穴２０の下縁に当たり、これに伴って両部分４０，４２、特に上部分４０に対する下部分４２の弾性変形により穴４０の前記下縁を乗り越え、その直後に表示板の表面１３に接する。
【００２９】
したがって、表示板１０に対する継手部材の本体２４の当接と、表示板１０に対する係止部２８の係止とは、表示板の穴２０に通された両部分４０，４２の前記弾性復元力により維持される。その結果、表示板１０に対して継手部材２２が簡単に分離しないように強固に固定される。
【００３０】
表示板１０からの継手部材２２の分離は、表示板の表面１３から突出した両部分４０，４２を指先でつまみ、あるいはペンチのような工具で挟んで弾性変形をさせ、これにより前記爪の表示板１０に対する係止状態を解除し、両部分４０，４２を表示板の穴２０から抜き出すことにより簡単に行うことができる。
【００３１】
図示の例にあっては、表示板１０からの継手部材２２の分離作業をより容易にすべく、下部分４２の一部が、継手部材の本体の穴３８をその一面３６からその他面４４に向けて貫通する長さ寸法を有するように設定されている。これによれば、例えば下部分４２と本体２４の上端面とをそれぞれ親指と人差し指とでつまむことにより、下部分４２に容易に弾性変形を生じさせることができる。
【００３２】
好ましくは、継手部材２２は、さらに、弾性変形可能である棒状の一対の止め部４３を備える。両止め部４３は、本体の穴３８の縁部（互いに相対する両側縁部）から互いに他の一方に向けて伸び、本体の穴３８を貫通する下部分４２の下方位置に達している。両止め部４３間には隙間が存する。
【００３３】
両止め部４３は、表示板の穴２０に差し込み後の差込部の下部分４２を下方に向けて押圧し、これを弾性変形させるとき、下部分４２の押圧力を受けて弾性変形し、下部分４２が両止め部４３間を通過することを許す。下部分４２の通過後、両止め部分４３は弾性復帰し、下部分４２の上方位置においてこれに接する（図３及び図５参照）。その結果、下部分４２は両止め部分４３によってその上方へ向けての弾性変形が規制され、表示板の穴３８からの下部分４２を含む差込部２６の抜け出し、したがって表示板１０からの継手部材２２の分離が阻止される。これにより、表示板１０及び継手部材２２相互の一体性を強固に保持することができる。
【００３４】
下部分４２は、これを本体２４に対して上方に押し上げて両止め部４３に力を及ぼし、両止め部４３を弾性変形させれば、両止め部４３間を経て両止め部４３の上方のもとの位置（図２及び図４に示す位置）に戻すことができる。
【００３５】
図１及び図２に示すように、表示板１０を支持するための支持手段１２の受入れ部３０は、図示の例では、全体に円筒状を呈し、門形の本体２４の下部中央部にあって該本体の他面４４からその一面３６とは反対の側へ突出している。
【００３６】
受入れ部３０は、下端開放の穴４６を有する。穴４６は、支柱１４の頂部を受入れ可能の大きさを有する。図示の例では、種々の大きさの直径を有する支柱１４の頂部の受入れを可能とすべく、穴４６は下方に向けて漸増する直径を有する。穴４６への支柱１４の頂部の受入れにより、継手部材２２を介して、該継手部材に取り付けられた表示板１０が支柱１４上に支持される。
【００３７】
また、図示の例では、本体２４がくびれ部４８を有する。くびれ部４８は、受入れ部３０の上方、より好ましくは受入れ部３０の直上に位置し、横方向（本体２４の上下方向に対する本体２４の幅方向）に線状に伸び、本体２４の他面４８及びその両側縁に開放している。
【００３８】
これによれば、本体２４をくびれ部４８で折り曲げることができる。より詳細には、線状に伸びるくびれ部４８を折り線として本体２４の上部を受入れ部３０に向けて折り曲げ、これにより本体２４にその上部において取り付けられた表示板１０を垂直状態から傾斜状態にすることができる。表示板１０を傾けることにより、その表面の記載事項をより読みやすくすることができる。
【００３９】
図４を参照すると、２つの支柱１６のための受入れ部３２は、本体の他面４４からこれと直交して突出する４つの方体形状の突起がそれぞれ規定する２組の穴（各組の穴のうちの下方の穴５０のみを示す）を有する。
【００４０】
前記２組の穴を規定する前記突起は、本体２４の幅方向に互いに間隔をおいて、より詳細には、支柱１４のための受入れ部３０の両側に配置されている。
【００４１】
各組の２つの穴は、それぞれ、支柱１６の頂部の挿通を許す貫通穴５０と該貫通穴を貫通した支柱１６の頂部を受入れ可能である下端開放の穴とからなる。各組の穴に通された頂部を有する各支柱１６により、継手部材２２とこれに取り付けられた表示板１０とが地面上、床面上等に支持される。
【００４２】
最後に図５を参照すると、ワイヤ１８のための受入れ部３２は２つの穴５２を有する。これらの２つの穴５２は、図４に示す２組の穴のうちの上方の穴を規定する２つの突起に設けることができる。
【００４３】
２つの穴５２は、それぞれ、前記２つの突起を本体２４の幅方向へ貫通しており、また図４に関して説明した前記下端開放の穴と連通している。
【００４４】
２つの穴５２に通されたワイヤ１８を介して、継手部材２２とこれに取り付けられた表示板１０とが空中に支持、すなわち吊持される。
【００４５】
穴４６は、これを円形の横断面形状を有するものとする図示の例に代えて、他の横断面形状を有するものとすることができる。また穴５０，５２は、図示の例におけるように矩形の横断面形状を有するものとすることに代えて、他の横断面形状を有するものとすることができる。
【図面の簡単な説明】
【００４６】
【図１】本発明に係る継手構造が適用された表示板及び１の支柱の表面側斜視図である。
【図２】本発明に係る継手構造が適用された表示板及び１の支柱の裏面側斜視図である
【図３】差込部の下部分が両止め部下に押し下げられた状態にある、図２と同様の斜視図である。
【図４】本発明に係る継手構造の縦断面図である。
【図５】差込部の下部分が両止め部下に押し下げられた状態にある、図４と同様の縦断面図である。
【図６】本発明に係る継手構造が適用された表示板及び２つの支柱の表面側斜視図である。
【図７】本発明に係る継手構造が適用された表示板及びワイヤの表面側斜視図である。
【符号の説明】
【００４７】
１０，１２  表示板及びその支持手段
１４，１６，１８  １の支柱、２つの支柱及びワイヤ
２０  表示板に設けられた穴
２２  継手部材
２４，２６，２８  継手部材の本体、差込部及び係止部
３０，３２，３４  支持手段の受入れ部
４０，４２  上部分および下部分
４３  止め部
４６，５０，５２  受入れ部の穴
４８  くびれ部
【図１】
2005172846.tif 000003
【図２】
2005172846.tif 000004
【図３】
2005172846.tif 000005
【図４】
2005172846.tif 000006
【図５】
2005172846.tif 000007
【図６】
2005172846.tif 000008
【図７】
2005172846.tif 000009